(57)【特許請求の範囲】
【請求項１】
矩形、六角形、台形、弧状その他任意形状をなす升目或いは矩形、円、楕円、その他任意形状をなす多数の孔が形成され、法面の地盤に固定したアンカー材等に差込み、アンカー材等の突出端に捩込んだナットを締付けることにより上記法面に固定され、上記升目或いは孔を通して植生が可能な緑化パネルであって、中心部のアンカー材等が通される孔の周辺においては単位面積当たり上記升目或いは孔が占める割合が小で剛性が大、外縁部においては単位面積当たり上記升目或いは孔が占める割合が大で剛性が小に形成されることを特徴とする緑化パネル。
【請求項２】
上記升目或いは孔のサイズが中心部のアンカー材等が通される孔の周辺においては小、外縁部においては大に形成されることを特徴とする緑化パネル。
【発明の詳細な説明】
【０００１】
【発明が属する技術分野】
本発明は、法面崩壊を防止し、法面補強のため法面にアンカー材或いはネジ節鉄筋やロックボルト等の補強材（本明細書では、これらを単に「アンカー材等」という）により固定される、緑化を可能にした緑化パネルに関する。
【０００２】
【従来技術】
近年、法面の安定化のためプレキャストコンクリート製のブロックを法面の土砂荷重を受ける受圧構造物として用い、法面の地盤に固定したアンカー材等に受圧構造物を差込み、アンカー材等の突出端にナットを捩込んで締付けて固定する工法が採用され、軽量化を図るためにコンクリート製ブロックに代え、ガラス繊維強化発泡ウレタン（ＦＦＵ）製の受圧板を用いたものも知られる。
【０００３】
法面の安定化工法としてはこのほか、法面へのコンクリート打設により法枠を構築する工法、工場生産されたコンクリートブロックを法面に設置して法枠を構築する工法も知られ、緑化のため法枠内に種子、肥料、土等よりなる客土又は客土に接着剤を混入した厚層基材（以下、単に「客土等」という）を吹き付ける工法も行われている。
【０００４】
上述の受圧構造物は、一本のアンカー材等に取付けて、その突出端に捩込んだナットを締付けるだけで固定できるため、施工時の作業能率がよく、また比較的広い面積で法面の土砂荷重を受けることができるが、受圧構造物を取付けた法面は景観に難点がある。
【０００５】
これに対し、法面に法枠を設置する工法においては、法枠内に植生して緑化を図ることが可能であるが、法面へのコンクリート打設により法枠を構築する工法は、法面に型枠を設置したり、鉄筋を組み立てゝコンクリート打設することが必要で、作業が煩雑となって作業能率が悪く、とくに急斜面の場合、施工が困難である。コンクリートブロックを法面に設置する工法は、上記の工法に比べると作業能率はよいが、コンクリートブロックを法面に組み付けて固定するのにかなりな手間がかゝる。
【０００６】
本出願人は先に特開２０００−３３６６５６号において、植生が可能で、緑化により景観を向上させることができる受圧構造物として格子状をなす受圧構造物を提案し、また締付時の加圧力を分散し、受圧構造物を均一に押え込むことができるようにするために格子状の受圧構造物を押え板或いはクロスないし十字形に組合せた形鋼で押えて押え板全体で受圧構造物を固定する工法について提案した。
【０００７】
【発明が解決しようとする課題】
本発明は、上記受圧構造物について改良を加え、押え板や形鋼を用いることなく、締付時の加圧力を分散させ、見映えを向上させた緑化が可能な緑化パネルを提供することを目的とする。
【０００８】
【課題の解決手段】
請求項１に係わる発明は、法面の地盤に固定したアンカー材等に差込み、アンカー材等の突出端に捩込んだナットを締付けることにより固定される緑化パネルであって、格子状、ハニカム状、蜘蛛の巣状或いは多孔状をなして例えば矩形、六角形、台形、弧状その他任意形状の升目或いは矩形、円、楕円、その他任意形状の多数の孔が形成され、これら升目或いは孔を通して植生が可能であり、しかもこれら升目或いは孔は、中心部のアンカー材等が通される孔の周辺においては、単位面積当たりの上記升目或いは孔が占める割合が小で剛性が大、外縁部においては単位面積当たり上記升目或いは孔が占める割合が大で剛性が小に形成されることを特徴とする。
【０００９】
本発明の緑化パネルによると、アンカー材等に差込み、ナットを締付けて固定したとき、締付時の加圧力が分散されて周辺部と中心部での加圧力の差が少なくなる。
本発明の緑化パネルは、剛性が中心部から周辺に向かって段階的に、例えば二ないし三段階で小となるように形成してもよいし、連続的に小となるように形成してもよい。
【００１０】
またパネルの材質は、例えば亜鉛メッキした鉄、アルミニウム、その他の金属製であってもよいが、軽量化のため、好ましくはＦＲＰ製とされる。
請求項２に係わる発明は、上記升目或いは孔のサイズが中心部のアンカー材等が通される孔の周辺においては小、外縁部においては大に形成されることを特徴とする。
【００１１】
【発明の実施の形態】
図１に例示される緑化パネル１は、縦桟と横桟で正方形の升目２ａを形成し、中央部にアンカー材を通す孔３と、その周りに升目２ａを四分割した形状のサイズの小さな升目２ｂを配置した枠４を備えている。
【００１２】
図２は、図１に示す緑化パネル１を法面にアンカー材５によって取付けた例を示すもので、その施工は、法面の地盤６にあけた孔にアンカー材５を差込んで、その周りにセメント等の注入材７を注入して固定したのち、法面より突出するアンカー材５の突出部分に緑化パネル１を差込み、アンカー材の突出端にナット８を捩込んで締込み、緑化パネル１を法面に固定する。
【００１３】
その後、緑化パネル１に客土を吹き付ける。図中、９は生い茂った草木を示す。
図３に例示する緑化パネル１１は、ハニカム状をなしてアンカー材を通す孔１２の周辺を除く部分は、升目１３ａが六角形をなし、孔１２の周辺の升目１３ｂは升目１３ａを細分化した升目となっている。
【００１４】
図４に例示する緑化パネル１５は、矩形枠１５ａを同心状に配置して放射状に延びる桟１５ｂで連結した蜘蛛の巣状をなし、アンカー材を通す孔１６から周辺に向かってサイズが次第に大きくなる台形の升目１７が形成されている。
別の例では、矩形枠１５ａの代わりに円形枠が同心円状に配置される。
【００１５】
図５に例示する緑化パネル２１は、長円の孔２２ｂを多数形成し、アンカー材を通す孔２３の周辺は孔２２ａを分割したサイズの小さな孔２２ｂとなっている。
【００１６】
【発明の効果】
本発明の緑化パネルによると、工場生産が可能で、升目或いは多数の孔を有するため軽量で、運搬が容易であること、法面への取付時には法面に固定したアンカー材に差込んでナットを締込むだけでよく、作業能率が向上すること、法面の土砂荷重を受けることができ、法面に多少の凹凸があっても安定して取り付けることができること、押え板を設けたり、形鋼を設けることなく、ナットを締めて法面に固定したときに中央部と周辺部での応力が均一化できるようになり、押え板や形鋼がない分構造が簡単となり、外観もすっきりすること、押え板や形鋼を設けたものに比べ、緑化が全面で均一に行えること等の効果を奏する。
【図面の簡単な説明】
【図１】本発明に係わる緑化パネルの平面図。
【図２】図１に示す緑化パネルを施工した状態を示す断面図。
【図３】緑化パネルの別の例を示す平面図。
【図４】緑化パネルの更に別の例を示す平面図。
【図５】緑化パネルの他の例を示す平面図。
【符号の説明】
１、１１、１５、２１・・緑化パネル
２ａ、２ｂ、１３ａ、１３ｂ、１７・・升目
３、１２、１６、２３・・アンカー材を通す孔
４・・枠
５・・アンカー材
６・・地盤
７・・注入剤
８・・ナット
９・・草木
１５ａ・・矩形枠
１５ｂ・・桟
２２ａ・・長円の孔
２２ｂ・・孔
【図１】
0004676660.tif 000002
【図２】
0004676660.tif 000003
【図３】
0004676660.tif 000004
【図４】
0004676660.tif 000005
【図５】
0004676660.tif 000006